【手続補正書】
【提出日】平成24年2月8日(2012.2.8)
【手続補正１】
【補正対象書類名】明細書
【補正対象項目名】００１３
【補正方法】変更
【補正の内容】
【００１３】
上記目的を達成するために、本発明の撮像装置は、画像を取得する撮像手段を備えた撮像装置であって、前記撮像装置の動き情報を検出する装置動き情報検出手段と、前記撮像手段によって取得された画像内の被写体の動き情報を検出する被写体動き情報検出手段と、前記撮像手段によって取得された画像内の輝度情報および色情報を取得する情報取得手段と、前記撮像手段によって取得された画像からシーンの判別を繰り返し行うシーン判別手段とを備え、前記シーン判別手段は、前記装置動き情報検出手段によって前記撮像装置の動きがないと検出され、前記被写体動き情報検出手段によって前記被写体の動きがないと検出され、かつ、前記輝度情報および色情報が予め定められた条件を満たした場合に、特定のシーンであると判別し、前記特定のシーンであると判別されている状態で、新たにシーンの判別を行う場合、前記撮像装置の動き情報を用いずに、前記被写体の動き情報、前記輝度情報および前記色情報をもとに、新たなシーンが前記特定のシーンであるか否かを判別し、前記特定のシーンであると判別されていない状態で、新たにシーンの判別を行う場合、前記前記撮像装置の動き情報、前記被写体の動き情報、前記輝度情報および前記色情報をもとに、新たなシーンが前記特定のシーンであるか否かを判別することを特徴とする。
【手続補正２】
【補正対象書類名】明細書
【補正対象項目名】００１４
【補正方法】変更
【補正の内容】
【００１４】
本発明の撮像装置のシーン判別方法は、画像を取得する撮像手段を備えた撮像装置のシーン判別方法であって、前記撮像装置の動き情報を検出する装置動き情報検出ステップと、前記撮像手段によって取得された画像内の被写体の動き情報を検出する被写体動き情報検出ステップと、前記撮像手段によって取得された画像内の輝度情報および色情報を取得する情報取得ステップと、前記撮像手段によって取得された画像からシーンの判別を繰り返し行うシーン判別ステップとを有し、前記シーン判別ステップでは、前記装置動き情報検出ステップによって前記撮像装置の動きがないと検出され、前記被写体動き情報検出ステップによって前記被写体の動きがないと検出され、かつ、前記輝度情報および色情報が予め定められた条件を満たした場合に、特定のシーンであると判別し、前記特定のシーンであると判別されている状態で、新たにシーンの判別を行う場合、前記撮像装置の動き情報を用いずに、前記被写体の動き情報、前記輝度情報および前記色情報をもとに、新たなシーンが前記特定のシーンであるか否かを判別し、前記特定のシーンであると判別されていない状態で、新たにシーンの判別を行う場合、前記前記撮像装置の動き情報、前記被写体の動き情報、前記輝度情報および前記色情報をもとに、新たなシーンが前記特定のシーンであるか否かを判別することを特徴とする。
【手続補正３】
【補正対象書類名】明細書
【補正対象項目名】００１５
【補正方法】変更
【補正の内容】
【００１５】
本発明に係る撮像装置は、特定のシーンであると判別されている状態で、新たにシーンの判別を行う場合、撮像装置の動き情報を用いずに、被写体の動き情報、輝度情報および色情報をもとに、新たなシーンが特定のシーンであるか否かを判別する。これにより、ユーザの操作によって撮像装置が動いたことに起因して特定シーンである「夜景」シーンが解除されないようにすることができ、また、被写体にぶれが生じる可能性があるときに長秒露光を行わないようにすることができる。このように、適正に「夜景」シーンを判別することができる。従って、撮影するシーンが夜景の場合において、高精度なシーン判別および良好な画像の撮影が可能となる。
さらに、本発明に係る撮像装置によれば、撮像装置の動きがないと検出された後、被写体の動きがないと検出された場合、特定のシーンと判別するので、夜景を撮影する条件、例えばノイズ低減のために撮影感度を下げ、シャッタスピードを下げる撮影条件の設定が可能となる。
また、本発明に係る撮像装置によれば、輝度情報および色情報が所定の条件を満たす場合、特定のシーンと判別するので、シーンの判別を正確に行うことができる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項３に係る撮像装置によれば、一度、夜景シーンと判別した場合、少しの画像情報の変化により、あるいは僅かの被写体の動きにより、夜景シーンでないと判別しないようにすることができる。これにより、安定した夜景シーンの撮影が可能となる。
【手続補正７】
【補正対象書類名】明細書
【補正対象項目名】００２０
【補正方法】変更
【補正の内容】
【００２０】
請求項４に係る撮像装置によれば、特定のシーンであると判別されている状態では、被写体の動き情報の閾値は、撮像装置の動き情報の閾値に比べて大きく設定されているので、ユーザの操作によって撮像装置が少し動いても、被写体が動いていると誤判定されない。
【手続補正８】
【補正対象書類名】明細書
【補正対象項目名】００２１
【補正方法】変更
【補正の内容】
【００２１】
請求項５に係る撮像装置によれば、シーンの種類に応じて、撮影時の画像処理を行うので、撮影シーンが夜景であると判別された場合、コントラスト比が低いシーンでは、ガンマ補正により階調を細かく調整することで、コントラストの改善が可能となる。また、画面内のより暗い領域についても、暗部補正により改善する効果が期待できる。従って、撮像装置を用いた撮影時、夜景に適した画像処理を行うことが可能となる。
【手続補正９】
【補正対象書類名】明細書
【補正対象項目名】００２２
【補正方法】変更
【補正の内容】
【００２２】
請求項６に係る撮像装置によれば、夜景シーンの判別を高精度に行うことができる。
【手続補正１０】
【補正対象書類名】特許請求の範囲
【補正対象項目名】全文
【補正方法】変更
【補正の内容】
【特許請求の範囲】
【請求項１】
画像を取得する撮像手段を備えた撮像装置であって、
前記撮像装置の動き情報を検出する装置動き情報検出手段と、
前記撮像手段によって取得された画像内の被写体の動き情報を検出する被写体動き情報検出手段と、
前記撮像手段によって取得された画像内の輝度情報および色情報を取得する情報取得手段と、
前記撮像手段によって取得された画像からシーンの判別を繰り返し行うシーン判別手段とを備え、
前記シーン判別手段は、前記装置動き情報検出手段によって前記撮像装置の動きがないと検出され、前記被写体動き情報検出手段によって前記被写体の動きがないと検出され、かつ、前記輝度情報および色情報が予め定められた条件を満たした場合に、特定のシーンであると判別し、
前記特定のシーンであると判別されている状態で、新たにシーンの判別を行う場合、前記撮像装置の動き情報を用いずに、前記被写体の動き情報、前記輝度情報および前記色情報をもとに、新たなシーンが前記特定のシーンであるか否かを判別し、
前記特定のシーンであると判別されていない状態で、新たにシーンの判別を行う場合、前記前記撮像装置の動き情報、前記被写体の動き情報、前記輝度情報および前記色情報をもとに、新たなシーンが前記特定のシーンであるか否かを判別することを特徴とする撮像装置。
【請求項２】
前記装置動き情報検出手段が前記撮像装置の動き情報を検出した後、前記被写体動き情報検出手段は前記被写体の動き情報を検出することを特徴とする請求項１記載の撮像装置。
【請求項３】
前記シーン判別手段は、前記特定のシーンであると判別されている状態で、新たにシーンの判別を行う場合、一旦、判別されたシーンが変更されにくくなるように、前記輝度情報および前記色情報の条件、および前記被写体の動き情報の条件の少なくとも一方を変更することを特徴とする請求項１または２記載の撮像装置。
【請求項４】
前記特定のシーンであると判別されている状態では、前記被写体動き情報検出手段によって検出される被写体の動き情報の閾値は、前記装置動き情報検出手段によって検出される撮像装置の動き情報の閾値に比べて、大きく設定されていることを特徴とする請求項１ないし３のいずれか１項に記載の撮像装置。
【請求項５】
前記シーン判別手段によって判別されたシーンの種類に応じて、撮影時の画像処理を行うことを特徴とする請求項１ないし４のいずれか１項に記載の撮像装置。
【請求項６】
前記特定のシーンは夜景であることを特徴とする請求項１ないし５のいずれか１項に記載の撮像装置。
【請求項７】
画像を取得する撮像手段を備えた撮像装置のシーン判別方法であって、
前記撮像装置の動き情報を検出する装置動き情報検出ステップと、
前記撮像手段によって取得された画像内の被写体の動き情報を検出する被写体動き情報検出ステップと、
前記撮像手段によって取得された画像内の輝度情報および色情報を取得する情報取得ステップと、
前記撮像手段によって取得された画像からシーンの判別を繰り返し行うシーン判別ステップとを有し、
前記シーン判別ステップでは、前記装置動き情報検出ステップによって前記撮像装置の動きがないと検出され、前記被写体動き情報検出ステップによって前記被写体の動きがないと検出され、かつ、前記輝度情報および色情報が予め定められた条件を満たした場合に、特定のシーンであると判別し、
前記特定のシーンであると判別されている状態で、新たにシーンの判別を行う場合、前記撮像装置の動き情報を用いずに、前記被写体の動き情報、前記輝度情報および前記色情報をもとに、新たなシーンが前記特定のシーンであるか否かを判別し、
前記特定のシーンであると判別されていない状態で、新たにシーンの判別を行う場合、前記前記撮像装置の動き情報、前記被写体の動き情報、前記輝度情報および前記色情報をもとに、新たなシーンが前記特定のシーンであるか否かを判別することを特徴とする撮像装置のシーン判別方法。